(57)【要約】【課題】スキャンパルスの印加される順番が後の走査電極でも安定したアドレス放電を遂行することのできるプラズマ表示装置の駆動方法を提供する。【解決手段】本発明のプラズマ表示装置の駆動方法は、アドレス期間に第１期間と、第２期間と、それらの間に位置する壁電荷補償期間とを設け、第１期間では発光する放電セルを選択するためにＹ１〜Ｙｋ電極に順次スキャンパルスを印加し、壁電荷補償期間ではＸ１〜Ｘｎ電極にＶｒｘ電圧を印加した状態でＹ１〜Ｙｎ電極にＶｒｙ電圧を印加し、第２期間では第１期間にスキャンパルスが印加されなかった残りのＹｋ＋１〜Ｙｎ電極にスキャンパルスを印加して発光する放電セルを選択するようにしたことを特徴とする。【選択図】図２
2008146006.tif 000002
【特許請求の範囲】
【請求項１】
複数の第１電極と、複数の第２電極と、前記第１電極及び前記第２電極に交差する方向に形成された複数の第３電極とを含むプラズマ表示装置の１フレーム期間を複数のサブフィールド期間に分けて駆動する駆動方法であって、
アドレス期間は第１期間、第２期間、第３期間を含み、
前記第１期間は、前記複数の第１電極のうちの一部の第１電極に対してスキャンパルスを印加し、前記一部の第１電極によって形成されるセルの中から発光セルと非発光セルを選択する段階であり、
前記第２期間は、前記複数の第２電極に第１電圧を印加した状態で前記複数の第１電極に前記第１電圧より高い第２電圧を印加する段階であり、
前記第３期間は、前記複数の第１電極のうちの前記一部の第１電極を除いた残りの第１電極に対してスキャンパルスを印加し、前記残りの第１電極によって形成されるセルの中から発光セルと非発光セルを選択する段階であり、
前記第１電圧と前記第２電圧との電位差は、維持期間に前記複数の第１電極と前記複数の第２電極に印加される電圧の電位差よりも小さくすることを特徴とするプラズマ表示装置の駆動方法。
【請求項２】
前記第２電圧は、前記複数の第３電極に印加される第３電圧より高い電圧であり、前記一部の第１電極に印加される前記スキャンパルスと反対極性を有することを特徴とする請求項１に記載のプラズマ表示装置の駆動方法。
【請求項３】
前記第２期間と前記第３期間との間に位置する第４期間をさらに含み、前記第４期間は前記複数の第２電極に第４電圧を印加した状態で、前記複数の第１電極の電圧を第５電圧から第６電圧まで漸進的に減少させる段階であり、
前記第６電圧は、リセット期間に前記複数の第１電極に印加される最終電圧であることを特徴とする請求項１または請求項２に記載のプラズマ表示装置の駆動方法。
【請求項４】
前記第４電圧は、前記第１電圧より低い電圧であり、前記第５電圧は前記第２電圧より低い電圧であることを特徴とする請求項３に記載のプラズマ表示装置の駆動方法。
【請求項５】
前記第１期間と前記第２期間との間に位置する第５期間をさらに含み、前記第５期間は前記複数の第１電極の電圧を第７電圧から前記第２電圧まで漸進的に上昇させることを特徴とする請求項１乃至請求項４のいずれか１項に記載のプラズマ表示装置の駆動方法。
【請求項６】
前記第７電圧は、前記第２電圧より低い電圧であることを特徴とする請求項５に記載のプラズマ表示装置の駆動方法。
【請求項７】
前記第５電圧と前記第７電圧は接地電圧であることを特徴とする請求項５または請求項６に記載のプラズマ表示装置の駆動方法。
【請求項８】
前記プラズマ表示装置の温度が基準温度以上の場合にだけ前記アドレス期間に前記第２、第４及び第５期間を含むことを特徴とする請求項５乃至請求項７のいずれか１項に記載のプラズマ表示装置の駆動方法。
【請求項９】
複数の走査電極と、複数の維持電極と、前記複数の走査電極と前記複数の維持電極に交差する方向に形成された複数のアドレス電極とを含み、前記走査電極、前記維持電極及び前記アドレス電極によって複数のセルを形成するプラズマ表示パネルと、
アドレス期間の第１期間には前記複数の走査電極のうちの一部である第１走査電極によって形成されるセルの中から発光セルと非発光セルを選択し、前記アドレス期間の第２期間には前記複数の走査電極のうちの一部である第２走査電極によって形成されるセルの中から発光セルと非発光セルを選択する駆動部とを含み、
前記駆動部は、
前記第１期間と前記第２期間との間に位置する第３期間に、前記複数の維持電極に第１電圧を印加した状態で前記複数の走査電極に前記第１電圧より高い第２電圧を印加し、前記第１電圧と前記第２電圧との電位差は、維持期間に前記複数の走査電極と前記複数の維持電極に印加される電圧の電位差よりも小さいことを特徴とするプラズマ表示装置。
【請求項１０】
前記駆動部は、前記第２期間と前記第３期間との間に位置する第４期間において、前記複数の維持電極に第３電圧を印加した状態で、前記複数の走査電極の電圧を第４電圧から第５電圧まで漸進的に減少させ、
前記第５電圧は、リセット期間に前記複数の走査電極に印加される最終電圧であることを特徴とする請求項９に記載のプラズマ表示装置。
【請求項１１】
前記第３電圧は、前記第１電圧より低い電圧であり、前記第４電圧は前記第２電圧より低い電圧であることを特徴とする請求項１０に記載のプラズマ表示装置。
【請求項１２】
前記駆動部は、前記第１期間と前記第３期間との間に位置する第５期間において、前記複数の走査電極の電圧を第６電圧から前記第２電圧まで漸進的に上昇させることを特徴とする請求項９乃至請求項１１のいずれか１項に記載のプラズマ表示装置。
【請求項１３】
前記第６電圧は、前記第２電圧より低い電圧であり、前記第４電圧と前記第６電圧は接地電圧であることを特徴とする請求項１２に記載のプラズマ表示装置。
【請求項１４】
前記プラズマ表示装置の温度が基準温度以上の場合にだけ前記アドレス期間に前記第３、第４及び第５期間を含むことを特徴とする請求項１２または請求項１３に記載のプラズマ表示装置。
【請求項１５】
前記第２走査電極は、前記複数の走査電極のうちの一部である第１走査電極を除いた残りの走査電極であることを特徴とする請求項９乃至請求項１４のいずれか１項に記載のプラズマ表示装置。
【発明の詳細な説明】
【技術分野】
【０００１】
本発明は、プラズマ表示装置及びその駆動方法に係り、特に安定したアドレス放電を遂行するプラズマ表示装置の駆動方法に関するものである。
【背景技術】
【０００２】
プラズマ表示装置は、気体放電によって生成されたプラズマを用いて文字又は映像を表示するプラズマ表示パネルを用いた表示装置である。このようなプラズマ表示パネルでは複数の放電セルがマトリックス状に配列されている。
【０００３】
そして、プラズマ表示装置では、１フレームがそれぞれ加重値を有する複数のサブフィールドに分割されて駆動されており、各サブフィールドはさらにリセット期間、アドレス期間及び維持期間から構成されている。このうちリセット期間は、アドレス放電を安定的に行うために放電セルの状態を初期化する期間であり、アドレス期間は複数の放電セルのうち点灯させるセルと点灯しないセルを選択する期間である。そして、維持期間は実際に画像を表示するために点灯させるセルに対して維持放電を遂行する期間である。
【０００４】
一般に、リセット期間後の壁電荷状態はアドレス放電が安定的に遂行できるように設定されている。そして、アドレス期間では全ての走査電極に順次スキャンパルスを印加し、発光セルに対応するアドレス電極に対してアドレス電圧を印加して発光セルを選択する。しかしながら、時間的に遅くスキャンパルスが印加される走査電極、すなわちスキャンパルスが印加される順番が後になる走査電極に対応するセルではリセット期間後の壁電荷状態が消えてしまう場合が発生する。つまり、リセット期間で設定された壁電荷状態が時間の経過に伴って消失し、特に時間的に遅く選択される放電セルでは壁電荷の消失が更に激しくなる。このような壁電荷の消失によって時間的に遅く選択されるセルでは、アドレス低放電が発生してしまう場合がある。また、このような壁電荷の消失は高温又はプライミング粒子が多い場合に更に激しくなることが分かっている。
【発明の開示】
【発明が解決しようとする課題】
【０００５】
本発明の課題は、安定したアドレス放電を遂行するプラズマ表示装置及びその駆動方法を提供することにある。
【課題を解決するための手段】
【０００６】
上記課題を解決するために、本発明の一つの特徴として、プラズマ表示装置の駆動方法が提供される。この駆動方法は、複数の第１電極と、複数の第２電極と、前記第１電極及び前記第２電極に交差する方向に形成された複数の第３電極とを含むプラズマ表示装置の１フレーム期間を複数のサブフィールド期間に分けて駆動する駆動方法であって、アドレス期間は第１期間、第２期間、第３期間を含み、前記第１期間は、前記複数の第１電極のうちの一部の第１電極に対してスキャンパルスを印加し、前記一部の第１電極によって形成されるセルの中から発光セルと非発光セルを選択する段階であり、前記第２期間は、前記複数の第２電極に第１電圧を印加した状態で前記複数の第１電極に前記第１電圧より高い第２電圧を印加する段階であり、前記第３期間は、前記複数の第１電極のうちの前記一部の第１電極を除いた残りの第１電極に対してスキャンパルスを印加し、前記残りの第１電極によって形成されるセルの中から発光セルと非発光セルを選択する段階であり、前記第１電圧と前記第２電圧との電位差は、維持期間に前記複数の第１電極と前記複数の第２電極に印加される電圧の電位差よりも小さくすることを特徴とする。
【０００７】
また、本発明の他の特徴として、プラズマ表示装置が提供される。このプラズマ表示装置は、複数の走査電極と、複数の維持電極と、前記複数の走査電極と前記複数の維持電極に交差する方向に形成された複数のアドレス電極とを含み、前記走査電極、前記維持電極及び前記アドレス電極によって複数のセルを形成するプラズマ表示パネルと、アドレス期間の第１期間には前記複数の走査電極のうちの一部である第１走査電極によって形成されるセルの中から発光セルと非発光セルを選択し、前記アドレス期間の第２期間には前記複数の走査電極のうちの一部である第２走査電極によって形成されるセルの中から発光セルと非発光セルを選択する駆動部とを含み、前記駆動部は、前記第１期間と前記第２期間との間に位置する第３期間に、前記複数の維持電極に第１電圧を印加した状態で前記複数の走査電極に前記第１電圧より高い第２電圧を印加し、前記第１電圧と前記第２電圧との電位差は、維持期間に前記複数の走査電極と前記複数の維持電極に印加される電圧の電位差よりも小さいことを特徴とする。
【発明の効果】
【０００８】
本発明のプラズマ表示装置及びその駆動方法によれば、アドレス期間に壁電荷補償期間を設けたことにより、安定したアドレス放電を遂行することができる。
【発明を実施するための最良の形態】
【０００９】
以下、添付した図面を参照して、本発明の好ましい実施例について当業者が容易に実施することができるように詳細に説明する。ただし、本発明は多様に異なる形態で実現することができるので、ここで説明する実施例に限定されるものではない。そして、図面で本発明を明確に説明するために説明と関係のない部分については省略し、明細書全体を通じて類似する部分については類似した図面符号で示すものとする。
【００１０】
そして、明細書全体で言及する“壁電荷”とはセルの壁（例えば、誘電体層）上で各電極の近くに形成される電荷のことをいう。そして、壁電荷は、実際に電極自体に接触することはないが、ここでは電極に“形成される”、“蓄積される”のように表現して説明する。また、“壁電圧”は壁電荷によってセルの壁に形成される電位差のことをいう。
【００１１】
そして、明細書全体で電圧を維持するという表現は特定の２点間の電位差が時間の経過によって変化しても、その変化が設計上許容できる範囲内であるか、或いは変化の原因が当業者の設計慣行では無視できる寄生成分による場合を含んでいる。また、放電電圧に比べて半導体素子（トランジスター、ダイオードなど）のしきい電圧が非常に低いので、しきい電圧を０Ｖと見なして近似処理することとする。
【００１２】
ここで、本発明の第１実施例に係るプラズマ表示装置及びその駆動方法について図面を参照して詳細に説明する。
【００１３】
図１は、本発明の第１実施例に係るプラズマ表示装置の概略的な構成を示すブロック図である。図１に示すように、本発明の第１実施例に係るプラズマ表示装置は、プラズマ表示パネル１００、制御部２００、アドレス電極駆動部３００、走査電極駆動部４００及び維持電極駆動部５００を含んでいる。
【００１４】
プラズマ表示パネル１００は、列方向に延びている複数のアドレス電極（Ａ１〜Ａｍ）、行方向に延びている複数の維持電極（Ｘ１〜Ｘｎ）及び走査電極（Ｙ１〜Ｙｎ）を含んでいる。複数の走査電極（Ｙ１〜Ｙｎ）及び維持電極（Ｘ１〜Ｘｎ）は互いに対を成して配列されており、隣接する走査電極（Ｙ１〜Ｙｎ）及び維持電極（Ｘ１〜Ｘｎ）と、これらと交差するアドレス電極（Ａ１〜Ａｍ）とによって放電セルが形成されている。このようなプラズマ表示パネル１００の構造は一例であり、以下に説明する駆動波形を適用できるパネルであれば、他の構造のパネルであっても本発明を適用することは可能である。
【００１５】
制御部２００は、外部から映像信号を受信してアドレス電極駆動制御信号、維持電極駆動制御信号及び走査電極駆動制御信号を出力する。そして、制御部２００は、１フレームを複数のサブフィールドに分割して駆動し、各サブフィールドは時間的な動作変化で表現すればリセット期間、アドレス期間及び維持期間から構成されている。
【００１６】
アドレス電極駆動部３００は、制御部２００からアドレス電極駆動制御信号を受信して表示しようとする放電セルを選択するための表示データ信号を各アドレス電極（Ａ１〜Ａｍ）に印加する。
【００１７】
走査電極駆動部４００は、制御部２００から走査電極駆動制御信号を受信して、走査電極（Ｙ１〜Ｙｎ）に駆動電圧を印加する。
【００１８】
維持電極駆動部５００は、制御部２００から維持電極駆動制御信号を受信して、維持電極（Ｘ１〜Ｘｎ）に駆動電圧を印加する。
【００１９】
次に、図２及び図３Ａ〜図３Ｃを参照して本発明の第１実施例に係るプラズマ表示装置の駆動波形について詳細に説明する。
【００２０】
図２は、本発明の第１実施例に係るプラズマ表示装置の駆動波形を示した図面である。図３Ａ〜図３Ｃは、本発明の第１実施例に係るプラズマ表示装置のアドレス期間における壁電荷の状態を示した図面である。
【００２１】
図２に示すように、本発明の第１実施例に係るプラズマ表示装置の各サブフィールドは、リセット期間、アドレス期間及び維持期間から成り、アドレス期間は第１期間、壁電荷補償期間及び第２期間から構成されている。
【００２２】
先ず、リセット期間の上昇期間ではＡ１〜Ａｍ電極及びＸ１〜Ｘｎ電極を基準電圧（図２では０Ｖ）に維持した状態でＹ１〜Ｙｎ電極の電圧をＶｒｐ電圧からＶｓｅｔ電圧まで漸進的に増加させる。図２ではＹ１〜Ｙｎ電極の電圧がランプ状に増加するように示したが、漸進的に増加する他の形態の波形を印加してもよい。これにより、Ｙ１〜Ｙｎ電極の電圧が増加する間に、Ｙ１〜Ｙｎ電極とＸ１〜Ｘｎ電極との間及びＹ１〜Ｙｎ電極とＡ１〜Ａｍ電極との間に微弱な放電（以下、“弱放電”）が起こってＹ１〜Ｙｎ電極には（−）壁電荷が形成され、Ｘ１〜Ｘｎ電極及びＡ１〜Ａｍ電極には（＋）壁電荷が形成される。この時、Ｙ１〜Ｙｎ電極の電圧が漸進的に上昇してセルに弱放電が起こり、外部で印加された電圧とセルの壁電圧の合計が放電開始電圧（Ｖｆ）となるような状態を維持するように壁電荷が形成される。また、リセット期間では全てのセルの状態を初期化しなければならないので、Ｖｓｅｔ電圧は全ての条件のセルで放電が起こるような高い電圧である必要がある。
【００２３】
次に、リセット期間の下降期間では、Ｘ１〜Ｘｎ電極をＶｅ電圧に維持してＡ１〜Ａｍ電極を基準電圧（０Ｖ）に維持した状態で、Ｙ１〜Ｙｎ電極の電圧を０Ｖ電圧から最終電圧であるＶｎｆ電圧まで漸進的に減少させる。図２では、Ｙ１〜Ｙｎ電極の電圧がランプ状に減少するように示したが、漸進的に減少する他の形態の波形を印加してもよい。これにより、Ｙ１〜Ｙｎ電極の電圧が減少する間に、Ｙ１〜Ｙｎ電極とＸ１〜Ｘｎ電極との間及びＹ１〜Ｙｎ電極とＡ１〜Ａｍ電極との間に弱放電が起こり、上昇期間の間にＹ１〜Ｙｎ電極に形成された（−）壁電荷とＸ１〜Ｘｎ電極及びＡ１〜Ａｍ電極に形成された（＋）壁電荷が消去される。その結果、Ｙ１〜Ｙｎ電極の（−）壁電荷が減少するとともにＸ１〜Ｘｎ電極の（＋）壁電荷も減少する。また、Ａ１〜Ａｍ電極の（＋）壁電荷はアドレス動作に適当な値となるように減少する。したがって、リセット期間後の壁電荷は図３Ａに示すような壁電荷状態となり、このような壁電荷状態はアドレス放電が安定的に遂行されるように設定されている。
【００２４】
次に、アドレス期間は第１期間、壁電荷補償期間及び第２期間から構成されている。一般的なプラズマ表示装置のアドレス期間では、全ての走査電極に順次スキャンパルスを印加し、発光セルに対応するアドレス電極にアドレス電圧を印加して発光セルを選択する。しかしながら、時間的に遅くスキャンパルスが印加される走査電極、すなわちスキャンパルスが印加される順番が後の走査電極に対応するセルではリセット期間の後に壁電荷が消えてしまう場合が発生する。つまり、リセット期間で設定された壁電荷状態（図３Ａ）が時間の経過に伴って消えてしまい、壁電荷状態が図３Ｂに示すように変わってしまう。このような壁電荷の消失によってアドレス低放電が発生する場合がある。そこで、本発明ではアドレス期間の中間に消えた壁電荷を補償するための壁電荷補償期間を追加した。
【００２５】
第１期間では、発光する放電セルを選択するためにＸ１〜Ｘｎ電極にＶｅ電圧を印加した状態でＹ１〜Ｙｋ電極に順次ＶｓｃＬ電圧を有するスキャンパルスを印加する。この時、ＶｓｃＬ電圧が印加されたＹ１〜Ｙｋ電極とＸ１〜Ｘｎ電極とによって形成される複数の放電セルのうち、発光する放電セルに対応したＡ１〜Ａｍ電極にＶａ電圧を印加すれば、Ｖａ電圧が印加されたＡ１〜Ａｍ電極とＶｓｃＬ電圧が印加されたＹ１〜Ｙｋ電極との間及びＶｓｃＬ電圧が印加されたＹ１〜Ｙｋ電極とＶｅ電圧が印加されたＸ１〜Ｘｎ電極との間でアドレス放電が起こってＹ１〜Ｙｋ電極に（＋）壁電荷が形成されてＡ１〜Ａｍ電極及びＸ１〜Ｘｎ電極にそれぞれ（−）壁電荷が形成される。ここで、ＶｓｃＬ電圧はＶｎｆ電圧と同じでもよいし、低いレベルに設定されてもよい。そして、ＶｓｃＬ電圧が印加されないＹ１〜Ｙｋ電極にはＶｓｃＬ電圧よりも高いＶｓｃＨ電圧が印加され、選択されない放電セルに対応したＡ１〜Ａｍ電極には基準電圧（図２では０Ｖ）が印加される。
【００２６】
次に、壁電荷補償期間では、Ａ１〜Ａｍ電極が基準電圧（図２では０Ｖ）を維持した状態で、Ｘ１〜Ｘｎ電極にＶｒｘ電圧を印加し、Ｙ１〜Ｙｎ電極にはＶｒｙ電圧を印加する。この時、Ｖｒｙ電圧はＶｒｘ電圧よりも高い電圧であり、Ｖｒｘ電圧とＶｒｙ電圧との電位差は、維持期間にＸ１〜Ｘｎ電極とＹ１〜Ｙｎ電極との間に印加される電位差よりも小さくなるようにする。また、Ｖｒｙ電圧は、Ａ１〜Ａｍ電極に印加されるＶａ電圧よりも高い電圧であり、Ｙ１〜Ｙｎ電極に印加されるスキャンパルスと反対極性を有している。
【００２７】
ここで、維持期間にＸ１〜Ｘｎ電極とＹ１〜Ｙｎ電極との間に印加される電位差はアドレシングされたセルが放電を起こす程度の電圧である。したがって、壁電荷補償期間の間にＸ１〜Ｘｎ電極とＹ１〜Ｙｎ電極との間に印加される電位差が、維持期間にＸ１〜Ｘｎ電極とＹ１〜Ｙｎ電極との間に印加される電圧よりも大きいか又は同じである場合には、第１期間にアドレシングされたセルが放電を起こしてしまう。そこで、Ｖｒｘ電圧とＶｒｙ電圧との間の電位差は、維持期間にＸ１〜Ｘｎ電極とＹ１〜Ｙｎ電極との間に印加される電位差よりも小さくしなければならない。また、Ｖｒｙ電圧は一般的なリセット期間のＶｓｅｔ電圧よりも低い電圧である。これは、全てのセルで放電を起こして全てのセルの状態を初期化させる電圧であるＶｓｅｔ電圧よりも低くして、既にアドレシングされたセルの状態を維持するためである。
【００２８】
上述したように、リセット期間が終わった後の壁電荷状態は図３Ａに示したような状態である。このとき、Ａ１〜Ａｍ電極には（＋）壁電荷が形成されていて、Ｘ１〜Ｘｎ電極とＹ１〜Ｙｎ電極には（−）壁電荷が形成されている。その後、第１期間を経た後には、図３Ａの壁電荷状態は壁電荷間の放電によって消失が発生し、第１期間でスキャンパルスが印加されない放電セルの壁電荷状態は図３Ｂのように変化する。図３Ｂは、Ａ１〜Ａｍ電極とＹ１〜Ｙｎ電極の壁電荷が消失した状態を示している。このような状態ではアドレス低放電の恐れがある。そこで、図３Ｂのように壁電荷が消失した状態に対して、Ｘ１〜Ｘｎ電極にＶｒｘ電圧を印加し、Ｙ１〜Ｙｎ電極にＶｒｙ電圧を印加する。これにより、Ｖｒｘ電圧とＶｒｙ電圧との電位差はアドレシングされた放電セルが放電を起こす程度の電位差ではないので、Ｙ１〜Ｙｋ電極ではアドレシングされた壁電荷状態が維持され、第１期間でアドレシングされないＹｋ＋１〜Ｙｎ電極では（−）壁電荷が形成されて、Ａ１〜Ａｍ電極に（＋）壁電荷が形成される。したがって、壁電荷補償期間ではＸ１〜Ｘｎ電極とＹｋ＋１〜Ｙｎ電極には（−）壁電荷が形成され、Ａ１〜Ａｍ電極には（＋）壁電荷が形成されることになり、消失した壁電荷を補償することができる。この壁電荷補償期間が終わった後の壁電荷状態は図３Ｃに示すような状態となり、壁電荷補償期間が終わった後の壁電荷状態はリセット期間が終わった後の壁電荷状態と同じようになり、壁電荷が補償されていることが分かる。
【００２９】
その後、第２期間では第１期間にスキャンパルスが印加されなかった残りのＹｋ＋１〜Ｙｎ電極にスキャンパルスを印加し、発光する放電セルを選択する。つまり、Ｘ１〜Ｘｎ電極にＶｅ電圧を印加した状態で、第１期間にＶｓｃＬ電圧を印加したｋ個のＹ１〜Ｙｋ電極を除いた残りのＹｋ＋１〜Ｙｎ電極に順次ＶｓｃＬ電圧を有する走査パルスを印加する。この時、ＶｓｃＬ電圧が印加されたＹｋ＋１〜Ｙｎ電極とＸ１〜Ｘｎ電極とによって形成される複数の放電セルのうち発光する放電セルに対応するＡ１〜Ａｍ電極にＶａ電圧を印加すれば、Ｖａ電圧が印加されたＡ１〜Ａｍ電極とＶｓｃＬ電圧が印加されたＹｋ＋１〜Ｙｎ電極との間及びＶｓｃＬ電圧が印加されたＹｋ＋１〜Ｙｎ電極とＶｅ電圧が印加されたＸ１〜Ｘｎ電極との間でアドレス放電が起こってＹｋ＋１〜Ｙｎ電極に（＋）壁電荷が形成され、Ａ１〜Ａｍ電極及びＸ１〜Ｘｎ電極にそれぞれ（−）壁電荷が形成される。そして、ＶｓｃＬ電圧が印加されないＹｋ＋１〜Ｙｎ電極にはＶｓｃＬ電圧より高いＶｓｃＨ電圧が印加され、選択されない放電セルのＡ１〜Ａｍ電極には基準電圧（図２では０Ｖ）が印加される。したがって、壁電荷補償期間の後に第１期間でＶｓｃＬ電圧が印加されなかった残りのＹｋ＋１〜Ｙｎ電極にＶｓｃＬ電圧を印加することによって、時間的に遅く選択される放電セルであってもアドレス低放電が発生する恐れなしに安定的に発光セルを選択することができる。
【００３０】
次に、維持期間ではＹ１〜Ｙｎ電極とＸ１〜Ｘｎ電極にハイレバル電圧（図２ではＶｓ電圧）とローレベル電圧（図２では０Ｖ電圧）を交互に有する維持放電パルスを反対位相で印加する。つまり、Ｙ１〜Ｙｎ電極にＶｓ電圧が印加される時にはＸ１〜Ｘｎ電極に０Ｖ電圧が印加され、Ｘ１〜Ｘｎ電極にＶｓ電圧が印加される時にはＹ１〜Ｙｎ電極に０Ｖ電圧が印加される。そうすれば、アドレス放電によってＹ１〜Ｙｎ電極とＸ１〜Ｘｎ電極との間に形成された壁電圧とＶｓ電圧によってＹ１〜Ｙｎ電極とＸ１〜Ｘｎ電極との間で放電が起こる。その後、Ｙ１〜Ｙｎ電極とＸ１〜Ｘｎ電極に維持放電パルスを印加する過程を当該サブフィールドが表示する加重値に対応した回数だけ反復して行う。
【００３１】
図４は、本発明の第２実施例に係るプラズマ表示装置の駆動波形を示す図面である。本発明の第２実施例に係る駆動波形は、壁電荷補償期間に印加される駆動波形が異なることを除いては第１実施例と同一なので重複した説明は省略する。
【００３２】
図４に示すように、本発明の第２実施例の壁電荷補償期間では、一部の期間においてＡ１〜Ａｍ電極が０Ｖ電圧を維持した状態でＸ１〜Ｘｎ電極にＶｒｘ電圧を印加し、Ｙ１〜Ｙｎ電極にＶｒｙ電圧を印加する。その後、一部の期間を除いた残りの期間において、Ａ１〜Ａｍ電極を０Ｖ電圧に維持し、Ｘ１〜Ｘｎ電極にＶｅ電圧を印加した状態で、Ｙ１〜Ｙｎ電極を０Ｖ電圧からＶｎｆ電圧まで漸進的に下降させる。このようにリセット期間の下降波形と類似した波形で壁電荷補償波形を印加することにより、Ｙ１〜Ｙｎ電極に０Ｖ電圧からＶｎｆ電圧まで漸進的に電圧を減少させる間、壁電荷が多く形成された場合には消す役割を果たすことになり、壁電荷をより正確に調節することができる。つまり、壁電荷補償期間において、リセット期間の下降期間と同じようにＹ１〜Ｙｎ電極の電圧を０Ｖ電圧からＶｎｆ電圧まで漸進的に減少させることにより、リセット期間と殆ど類似の壁電荷状態を設定することができる。
【００３３】
図５は本発明の第３実施例に係るプラズマ表示装置の駆動波形を示す図面である。第３実施例では壁電荷補償期間の一部の期間において、Ｙ１〜Ｙｎ電極にＶｒｙ電圧を印加する際にＹ１〜Ｙｎ電極の電圧を０Ｖ電圧からＶｒｙ電圧まで漸進的に増加させ、その後にＶｒｙ電圧を印加して維持するようにしたことが第２実施例と異なっている。
【００３４】
具体的に説明すると、壁電荷補償期間の一部の期間においてＡ１〜Ａｍ電極を０Ｖ電圧に維持し、Ｘ１〜Ｘｎ電極をＶｒｘ電圧に維持した状態で、Ｙ１〜Ｙｎ電極の電圧を０Ｖ電圧からＶｒｙ電圧まで漸進的に増加させた後にＶｒｙ電圧に維持する。その後、Ａ１〜Ａｍ電極は０Ｖ電圧の状態を維持し、Ｘ１〜Ｘｎ電極の電圧はＶｅ電圧を印加した状態にして、Ｙ１〜Ｙｎ電極は０Ｖ電圧からＶｎｆ電圧まで漸進的に下降させる。壁電荷補償期間において、Ｙ１〜Ｙｎ電極に突然Ｖｒｙ電圧を印加すると、Ｙ１〜Ｙｎ電極では第１期間において印加された電圧との電位差が大きくなり、強放電の恐れがある。そこで、漸進的に０Ｖ電圧からＶｒｙ電圧まで増加させることで、より安定した放電が可能となる。
【００３５】
以上、説明したように、アドレス期間の第１期間において走査電極の一部にスキャンパルスを印加し、第２期間において走査電極のうち第１期間でスキャンパルスが印加されなかった残りの走査電極にスキャンパルスを印加するように説明した。しかしながら、本発明では壁電荷補償期間をアドレス期間の中間に１回だけ追加するだけでなく、何回追加しても差し支えない。
【００３６】
次に、本発明の第４実施例に係るプラズマ表示装置を説明する。プラズマ表示装置では、放電特性が温度によって変化し、温度が高い場合に壁電荷の間の放電が容易になって壁電荷の消失が激しくなる。そこで、以下の説明では高温の場合でも安定したアドレス放電を行うために、温度が高い場合にだけ壁電荷補償波形を追加するようにした実施例について詳細に説明する。
【００３７】
図６は、本発明の第４実施例に係るプラズマ表示装置の概略的な構成を示す図面である。図６に示すように、本発明の第４実施例に係るプラズマ表示装置は、プラズマ表示パネル１００、制御部２００、アドレス電極駆動部３００、走査電極駆動部４００、維持電極駆動部５００、温度感知部６００を含んでいる。
【００３８】
図６では、図１に示したプラズマ表示装置に温度感知部６００が追加された点を除いては図１と同一なので以下、重複した説明は省略する。
【００３９】
温度感知部６００は、プラズマ表示パネル１００の温度を感知して、制御部２００に伝達する。本発明の第４実施例では、高温の場合にプラズマ表示パネルの温度を把握して、壁電荷補償期間の追加の要否を決定する。したがって、第１〜第３実施例とは異なりプラズマ表示装置に温度感知部６００を追加する必要がある。
【００４０】
図７は、図６に示す制御部の動作を示したフローチャートである。
【００４１】
図７に示すように、制御部２００は温度感知部６００で検出されたプラズマ表示パネル１００の温度を受信し（Ｓ６１０）、基準温度と比較する（Ｓ６２０）。
【００４２】
ここで、基準温度は、プラズマ表示装置において壁電荷状態が消失する恐れのある温度で実験的に測定可能であり、一般に２５℃程度に設定されるが、他の温度に設定することも可能である。
【００４３】
この時、制御部２００はプラズマ表示パネル１００の温度が基準温度以下の場合には一般的な制御信号を伝達する（Ｓ６３０）。一方、プラズマ表示パネル１００の温度が基準温度より高い場合にはアドレス期間において壁電荷補償期間を行うように設定する制御信号をアドレス電極駆動部３００、走査電極駆動部４００及び維持電極駆動部５００に伝達する（Ｓ６４０）。
【００４４】
このような制御部２００の動作によって、壁電荷消失によるアドレス低放電の恐れがある場合にだけ壁電荷補償波形を追加するようにしたので、より効率的な駆動が可能である。
【００４５】
以上、本発明の好ましい実施例について説明したが、本発明の権利範囲はこれに限定されるものではなく、特許請求の範囲と発明の詳細な説明及び添付した図面の範囲内で多様に変形して実施することが可能であり、これもまた本発明の範囲に属することは当然である。
【図面の簡単な説明】
【００４６】
【図１】本発明の第１実施例に係るプラズマ表示装置の構成を示したブロック図である。
【図２】本発明の第１実施例に係るプラズマ表示装置の駆動波形を示した図面である。
【図３Ａ】本発明の第１実施例に係るプラズマ表示装置のアドレス期間における壁電荷状態を示した図面である。
【図３Ｂ】本発明の第１実施例に係るプラズマ表示装置のアドレス期間における壁電荷状態を示した図面である。
【図３Ｃ】本発明の第１実施例に係るプラズマ表示装置のアドレス期間における壁電荷状態を示した図面である。
【図４】本発明の第２実施例に係るプラズマ表示装置の駆動波形を示した図面である。
【図５】本発明の第３実施例に係るプラズマ表示装置の駆動波形を示した図面である。
【図６】本発明の第４実施例に係るプラズマ表示装置の構成を示したブロック図である。
【図７】図６に示す制御部の動作を示したフローチャートである。
【符号の説明】
【００４７】
１００  プラズマ表示パネル
２００  制御部
３００  アドレス電極駆動部
４００  走査電極駆動部
５００  維持電極駆動部
Ａ１〜Ａｍ  アドレス電極
０Ｖ  基準電圧
Ｖｆ  放電開始電圧
Ｘ１〜Ｘｎ  維持電極
Ｙ１〜Ｙｎ  走査電極
【図１】
2008146006.tif 000003
【図２】
2008146006.tif 000004
【図３Ａ】
2008146006.tif 000005
【図３Ｂ】
2008146006.tif 000006
【図３Ｃ】
2008146006.tif 000007
【図４】
2008146006.tif 000008
【図５】
2008146006.tif 000009
【図６】
2008146006.tif 000010
【図７】
2008146006.tif 000011